(57)【要約】      （修正有）【課題】造花の花冠の軸と生花の茎の先端部を接続する接続具が簡単に構成でき作業性を向上させることができる、生花一体造花を提供する。【解決手段】彩色した紙や布及び樹脂などを組み合わせて作った造花の花冠２の萼３に一体形成されている軸５内に、先端部の尖った串状の軸９を挿着固定し、十分に成長していない生花の茎１０の先端にある蕾を切除した茎１０の先端部の髄１２内に、串状の軸９を挿着固定して一本の生花一体造花１を構成する。【選択図】図１
0003209867.tif 000002
【実用新案登録請求の範囲】
【請求項１】
彩色した紙や布及び樹脂などを組み合わせて作った造花の花冠の萼に一体形成されている軸内に、先端部の尖った串状の軸を挿着固定し、十分に成長していない生花の茎の先端にある蕾を切除した茎の先端部の髄内に、前記串状の軸を挿着固定して一本の生花一体造花を構成することを特徴とした、生花一体造花。
【考案の詳細な説明】
【技術分野】
【０００１】  本考案は、彩色した紙や布及び樹脂などを組み合わせて作った造花の花冠を、十分に成長していない生花の茎の先端にある蕾を切除した部位に装着して構成することを特徴とした、生花一体造花に関するものである。
【背景技術】
【０００２】  従来、室内における観賞用の花や、仏事における献花用の花は、生花又は造花が用いられている。該生花において多用される花として例えば菊は、商品として出荷するまでに約１５０日（約５ヶ月）に亘る長期の栽培期間が必要であった。【０００３】  また、同じ菊でも多種多様の品種があり、花冠の色や形なども個々に異なることから、栽培農家にとっては管理が非常に大変であるとともに、肥料代や燃料代及び人件費等の諸経費も栽培期間中は継続して掛かるため、生産効率が非常に悪いという問題点があった。【０００４】  上記問題点を解決すべく、本願出願人の実用新案登録第３１７８４８７号公報の考案の名称「生花一体造花」において、彩色した紙や布及び樹脂などを組み合わせて作った造花の花冠を、十分に成長していない生花の茎の先端にある蕾を切除した部位に装着して構成する生花一体造花について提案した。【０００５】
【特許文献１】実用新案登録第３１７８４８７号
【考案の開示】
【考案が解決しようとする課題】
【０００６】  上記公報においては、彩色した紙や布及び樹脂などを組み合わせて作った造花の花冠の軸を保持するための軸保持部と、十分に成長していない生花の茎の先端にある蕾を切除した部位を保持するための茎保持部を一連に有した接続具により、前記造花の花冠の軸と生花の茎の先端部を接続して一本の生花一体造花を構成するものである。具体的には、花冠の萼に一体形成されている軸にアルミ等の軟質金属でできた嵌着部材を挿入し、該嵌着部材の上部を工具にてカシメ又は接着して軸と嵌着部材を固着し、更に樹脂チューブを前記嵌着部材に挿入し、その後樹脂チューブ内の茎保持部に生花の茎の先端部を挿入して一体接続するものであり、複雑な工程を有していた。このため作業性が劣ると共に人件費が嵩み、製造コストが高くなってしまうという問題点が発生した。【０００７】  本考案は、上記問題点を解決するために成されたものであり、彩色した紙や布及び樹脂などを組み合わせて作った造花の花冠を、十分に成長していない生花の茎の先端にある蕾を切除した部位に装着して構成する生花一体造花の製造において、造花の花冠の軸と生花の茎の先端部を接続する接続具が簡単に構成でき作業性を向上させることができる、生花一体造花を提供することを目的とする。
【課題を解決するための手段】
【０００８】  上記課題を解決するため、本考案の生花一体造花は、彩色した紙や布及び樹脂などを組み合わせて作った造花の花冠の萼に一体形成されている軸内に、先端部の尖った串状の軸を挿着固定し、十分に成長していない生花の茎の先端にある蕾を切除した茎の先端部の髄内に、前記串状の軸を挿着固定して一本の生花一体造花を構成する。
【考案の効果】
【０００９】  本考案の生花一体造花によれば、造花の花冠の軸と生花の茎の先端部の接続が先端部の尖った串状の軸の挿着固定のみで行えるため、接続具が簡単に構成でき作業性を向上させることができる。このため人件費も掛からず安価に製造することができるという効果を奏する。なお、茎や葉は生花を使用し、特に菊にあっては香りも強いために造花も生花と見間違え、葉が多少しおれても利用することができるため、造花の長所と生花の長所を併せ持った商品になる点と、十分に成長していない生花を使用するため、栽培期間を短縮して生産効率を向上させる点については、従来と同様の効果を奏する。
【考案を実施するための最良の形態】
【００１０】  本考案を実施するための最良の形態を図を用いて説明する。【００１１】  図１は、本考案の生花一体造花の一実施例による外観図である。該図に示すように本考案の生花一体造花１は、彩色した紙や布及び樹脂などを組み合わせて作った造花の花冠２の萼３に一体形成されている軸５内に、先端部の尖った串状の軸９を挿着固定し、十分に成長していない生花の茎１０の先端にある蕾を切除した茎１０の先端部の髄１２内に、前記串状の軸９を挿着固定して構成する。【００１２】  図２は、花冠の軸周辺の構造を示した図であり、（ａ）は花冠２の萼３に形成されている保持筒４及び軸５の形状、（ｂ）は軸５の周辺の断面を示している。（ａ）に示すように、彩色した紙や布及び樹脂などを組み合わせて作った造花、即ち造花店などで一般的に販売されている安価な造花の花冠２の萼３の下部には当該萼３と一体に保持筒４が形成され、該保持筒４より軸５が露出した構造となっている。該軸５は、（ｂ）に示すように内部に中空の軸穴７を有すると共に先端部には雄蕊６を有し、多数の花弁８を萼３と前記雄蕊６との間に保持固定して花冠２を構成している。なお、図２で示す花冠２は一例として菊を描いているが、他の種類の花冠であっても構造に多少の違いはあるものの同様である。【００１３】  図３は、花冠の軸に串状の軸を挿着固定した状態の図であり、該図及び図２の（ｂ）に示すように、花冠２を構成する花弁８の基幹部にある雄蕊６の上部より串状の軸９を挿入し、更に前記雄蕊６と一体化した軸５内の軸穴７を貫通して軸５より串状の軸９を露出させる。該串状の軸９の露出部の長さは１．５〜２ｃｍが好適であるが特に限定するものではない。また、該串状の軸９の材質は竹、木、プラスチック等が好適であるがこれも特に限定するものではない。【００１４】  図４は、生花の茎の先端部に造花を挿着する状態を示した図であり、前述したように花冠２の萼３に一体形成されている軸５内に、先端部の尖った串状の軸９を挿着固定した花冠２を、十分に成長していない生花の茎１０の先端にある蕾を切除した茎１０の先端部の髄１２内に、前記串状の軸９を挿着固定することにより、図１で示すような一本の生花一体造花１を構成することができる。なお、前記髄１２は通常は柔らかいため、串状の軸９と軸５を一緒に挿着固定した後、更に補強用に接着剤を塗布しても構わない。
【産業上の利用可能性】
【００１５】  上記説明において、生花一体造花の例として菊について説明したが、これは菊が仏事用として多く用いられることと、生花の葉１１の香りが強いため花冠２が造花であることを意識させない点で好適であるが、他の種類の造花とその生花の茎に、上記と同様に先端部の尖った串状の軸９を介して生花一体造花を構成しても構わない。【００１６】  また、上記説明において、生花の茎は根を切断した切花として説明したが、根を付けたままの状態にすれば生花の茎や葉の日持ちが良くなるため、このような根付きの茎を使用することもできる。また、切花の場合においても、保存用のスポンジに大量の酸素を含んだナノバブル水を浸透させたものを若しくはこれを凍らせたものを使用すると、通常の水道水の場合より日持ちが良くなるため好適となる。
【図面の簡単な説明】
【００１７】
【図１】本考案の生花一体造花の一実施例による外観図である。
【図２】花冠の軸周辺の構造を示した図である。
【図３】花冠の軸に串状の軸を挿着固定した状態の図である。
【図４】生花の茎の先端部に造花を挿着する状態を示した図である。
【符号の説明】
【００１８】  １  生花一体造花
２  花冠
３  萼
４  保持筒
５  軸
６  雄蕊
７  軸穴
８  花弁
９  串状の軸
１０  生花の茎
１１  生花の葉
１２  髄
【図１】
0003209867.tif 000003
【図２】
0003209867.tif 000004
【図３】
0003209867.tif 000005
【図４】
0003209867.tif 000006